(57)【要約】本発明は、ＭＯＳＴ（商標登録）規格による車両用のマルチメディア接続を確立するためのコネクタに関する。目的は、製造するのに簡単、迅速、安価であり、減衰が小さく、精度および耐久性が高い光接続をもたらす光コネクタを提供することである。ＭＯＳＴコネクタは、ファイバ受け入れスリーブを有した少なくとも１つの光ターミナルを含み、そこには光ファイバ・セクションが配置され、光ファイバ・セクションは、固定要素によってファイバ受け入れスリーブに直接付け加えられる。本発明によれば、ファイバ受け入れスリーブは、光ファイバ・セクションの前方光接触表面の領域中に前方サイドを含み、固定要素またはラッチ用ノッチが、ファイバ受け入れスリーブの前方サイドから縦方向に隔置される。
2007519963.tif 000002
【特許請求の範囲】
【請求項１】
殊に、ＭＯＳＴ規格による車両中のマルチメディア接続を確立するための光コネクタ（１）であって、
嵌合コネクタと嵌合接続するための嵌合レセプタクル（１０）を有したコネクタ筐体（２）と、
前方および後方の光接触表面（８２、８４）を有した、少なくとも１つの光ファイバ・セクション（７２、７４）と、
嵌合コネクタの嵌合光ターミナル要素と嵌合接続するための、少なくとも１つの光ターミナル要素（１２、１４）とを含み、
前記光ターミナル要素（１２、１４）が、少なくとも１つのファイバ受け入れスリーブ（３２、３３）を含み、そこでは、前記前方光接触表面（８２）により前記嵌合コネクタの光ファイバと光接続を確立するために、前記ファイバ・セクション（７２、７４）が配置され、
前記光ファイバ・セクション（７２、７４）が、固定要素（５２ａ〜５２ｄ）によって前記ファイバ受け入れスリーブ（３２、３３）中に付け加えられ、
前記ファイバ受け入れスリーブ（３２、３３）が、前記光ファイバ・セクション（７２、７４）の前記前方光接触表面（８２）の領域中に前方サイド（３９）を有し、前記固定要素（５２ａ〜５２ｄ）が、前記ファイバ受け入れスリーブ（３２、３３）の前記前方サイド（３９）から縦方向に隔置される、光コネクタ（１）。
【請求項２】
前記ファイバ受け入れスリーブ（３２、３３）の前記前方サイド（３９）が、前記光ファイバ・セクション（７２、７４）の前記前方光接触表面（８２）の領域中にあり、前記嵌合コネクタの前記嵌合ターミナルのための停止部（３８）を形成することを特徴とする、請求項１に記載のコネクタ（１）。
【請求項３】
前記ファイバ受け入れスリーブ（３２、３３）が、実質的に円筒状ファイバ・チャネル（３４、３７）を画定し、
前記光ファイバ・セクション（７２、７４）が、その中に付け加えられ、
前記固定要素（５２ａ〜５２ｄ）が、前記ファイバ受け入れスリーブ（３２、３３）の内側周辺部（６０）から半径方向内側へ前記ファイバ・チャネル（３４、３７）中に突き出すことを特徴とする、請求項１乃至２のいずれか１項に記載のコネクタ（１）。
【請求項４】
前記固定要素（５２ａ〜５２ｄ）が、前記ファイバ受け入れスリーブ（３２、３３）と統合的に一体で形成されることを特徴とする、請求項１乃至３のいずれか１項に記載のコネクタ（１）。
【請求項５】
前記固定要素（５２ａ〜５２ｄ）が、材料を変位し圧縮する形で、前記光ファイバ・セクション（７２、７４）の外側周辺部中に到達することを特徴とする、請求項１乃至４のいずれか１項に記載のコネクタ（１）。
【請求項６】
前記固定要素（５２ａ〜５２ｄ）が、前記ファイバ受け入れスリーブ（３２、３３）の前記前方面（３９）に隣接した前方面（６８ａ〜６８ｄ）を含み、
前記固定要素の前記前方面が、前記ファイバ受け入れスリーブ（３２、３３）の前記前方面（３９）から後方に向かって縦方向に隔置されることを特徴とする、請求項１乃至５のいずれか１項に記載のコネクタ（１）。
【請求項７】
前記固定要素（５２ａ〜５２ｄ）が、前記ファイバ受け入れスリーブ（３２、３３）の前記前方面（３９）に対して、後方に０μｍより大きく５ｍｍより小さいだけオフセットされることを特徴とする、請求項１乃至６のいずれか１項に記載のコネクタ（１）。
【請求項８】
前記ファイバ受け入れスリーブ（３２、３３）が、前方ガイド・セクション（４２）および後方挿入セクション（４４）を有し、
前記挿入セクション（４４）の内側直径（８８）が、前記ガイド・セクション（４２）の内側直径（８６）より大きいことを特徴とする、請求項１乃至７のいずれか１項に記載のコネクタ（１）。
【請求項９】
面取りされた面（４６）が、前記ガイド・セクション（４２）と前記挿入セクション（４４）の間に設けられることを特徴とする、請求項８に記載のコネクタ（１）。
【請求項１０】
前記ファイバ受け入れスリーブ（３２、３３）が、前方ガイド・セクション（４２）および後方挿入セクション（４４）を有し、
前記ガイド・セクション（４２）が、前記ファイバ・セクション（７２、７４）のためのガイドを画定し、
その内側直径（８６）が、前記光ファイバ・セクション（７２、７４）の外側直径より４０μｍ小さいから、それより１２０μｍ大きいの範囲にあることを特徴とする、請求項１乃至９のいずれか１項に記載のコネクタ（１）。
【請求項１１】
前記ファイバ受け入れスリーブ（３２、３３）が、前方ガイド・セクション（４２）および後方挿入セクション（４４）を有し、
前記光ファイバ・セクション（７２、７４）が、前記挿入セクション（４４）中に４０μｍから１００μｍの半径方向隙間を有することを特徴とする、請求項１乃至１０のいずれか１項に記載のコネクタ（１）。
【請求項１２】
前記ファイバ受け入れスリーブ（３２、３３）が、前方ガイド・セクション（４２）および後方挿入セクション（４４）を有し、
前記固定要素（５２ａ〜５２ｄ）が、前記挿入セクション（４４）中に配置されることを特徴とする、請求項１乃至１１のいずれか１項に記載のコネクタ（１）。
【請求項１３】
前記ファイバ受け入れスリーブ（３２、３３）が、前方ガイド・セクション（４２）および後方挿入セクション（４４）を有し、
固定要素（５２ａ〜５２ｄ）が、前記ガイド・セクション（４２）の後方末端部から前記挿入セクション（４４）中に縦方向に隔置されることを特徴とする、請求項１乃至１２のいずれか１項に記載のコネクタ（１）。
【請求項１４】
少なくとも２つ、３つまたはそれより多い固定要素（５２ａ〜５２ｄ）が、前記ファイバ・チャネル（３４、３７）の内側周辺部（６０）に配置され、前記周辺部（６０）に沿って均等に隔置されることを特徴とする、請求項１乃至１３のいずれか１項に記載のコネクタ（１）。
【請求項１５】
前記固定要素（５２ａ〜５２ｄ）が、ラッチ用ノッチとして設けられることを特徴とする、請求項１乃至１４のいずれか１項に記載のコネクタ（１）。
【請求項１６】
前記ラッチ用ノッチ（５２ａ〜５２ｄ）が、半径方向に実質的に三角形の断面を有することを特徴とする、請求項１５に記載のコネクタ（１）。
【請求項１７】
前記ラッチ用ノッチ（５２ａ〜５２ｄ）が、前記コネクタ筐体（２）の後方から前記ファイバ・セクション（７２、７４）を圧入するために、後方に傾いた傾斜表面（５６ａ〜５６ｄ）を有し、
前記ラッチ用ノッチが、前記ファイバ・セクションを連結するために、前記ファイバ・セクション（７２、７４）の光軸（５４）に実質的に垂直である前方停止領域（６８ａ〜６８ｄ）を有することを特徴とする、請求項１５または１６に記載のコネクタ（１）。
【請求項１８】
前記ラッチ用ノッチ（５２ａ〜５２ｄ）が、前記ファイバ受け入れスリーブ（３２、３３）の前記内側周辺部に沿って、１５０μｍから４００μｍの幅を有し、半径方向に前記内部に向かって突き出した５０μｍから２００μｍの高さを有することを特徴とする、請求項１乃至１７のいずれか１項に記載のコネクタ（１）。
【請求項１９】
前記コネクタ（１）が、光入出力を含んだ、少なくとも１つの電気光変換器（１０２、１０４）を含み、
前記変換器が、前記ファイバ・チャネルの後方末端部に配置され、
前記ファイバ・セクションと前記変換器の間の光接続が、前記ファイバ・セクション（７２、７４）の前記後方光接触表面（８４）を介して形成されることを特徴とする、請求項１乃至１８のいずれか１項に記載のコネクタ（１）。
【請求項２０】
前記電気光変換器（１０２、１０４）が、ブラケット（１０８）によって前記コネクタ筐体（２）の後方に直接取り付けられることを特徴とする、請求項１９に記載のコネクタ（１）。
【請求項２１】
前記ブラケット（１０８）が、金属から打ち抜かれ、実質的にＵ字状であり、前記コネクタ筐体（２）の側面表面（１８、２０）上に連結され、プリント回路基板と接続するためのはんだピン（１１０）を備えることを特徴とする、請求項１乃至２０のいずれか１項に記載のコネクタ（１）。
【請求項２２】
前記ブラケット（１０８）が、少なくとも１つの弾性スプリング・セクション（１１２、１１４）を有し、組み立て時、前記ファイバ・セクション（７２、７４）の前記後方光接触表面（８４）に向けて前方に前記変換器（１０２、１０４）を押し付けることを特徴とする、請求項１乃至２１のいずれか１項に記載のコネクタ（１）。
【請求項２３】
前記ブラケット（１０８）が、後方上側縁部に沿って統合的に一体で接続された、後方壁および上側カバーを有し、
前記スプリング弾性セクション（１１２、１１４）が、前記上側カバーに取り付けられ、
前記スプリング弾性セクションが、実質的にＬ字状断面を有することを特徴とする、請求項１乃至２２のいずれか１項に記載のコネクタ（１）。
【請求項２４】
プラスチック・ファイバ用の光コネクタ（１）を製造するための、殊に、請求項１乃至２３のいずれか１項によって、ＭＯＳＴ規格による車両用のマルチメディア・コネクタを製造するための方法において、
嵌合コネクタと嵌合接続するための嵌合レセプタクルを有したコネクタ筐体（２）を設ける工程であって、前記コネクタ（１）が、前記嵌合コネクタの嵌合光ターミナル要素と嵌合接続するために、少なくとも２つの光ターミナル要素（１２、１４）を有し、前記ターミナル要素（１２、１４）それぞれが、ファイバ受け入れスリーブ（３２、３３）を有し、それぞれが、複数の内側固定要素（５２ａ〜５２ｄ）を有する、工程と、
それぞれが、前方および後方の光接触表面（８２、８４）を有した、少なくとも２つの光ファイバ・セクション（７２、７４）を設ける工程と、
その後、前記ファイバ・セクション（７２、７４）を前記関連したファイバ受け入れスリーブ（３２、３３）中に直接圧入する工程であって、前記ファイバ・セクション（７２、７４）が、前記ファイバ受け入れスリーブ（３２、３３）中に前記固定要素（５２〜５２ｄ）によって固定され、前記コネクタ（１）が、前記嵌合コネクタと嵌合されたとき、前記光ファイバ・セクション（７２、７４）の前記前方光接触表面（８２）を介して前記嵌合コネクタの光ファイバとの光接続を確立することができる、工程と、
その後、前記関連したファイバ受け入れスリーブ（３２、３３）の後方サイド（４８）に２つの電気光変換器（１０２、１０４）を配置する工程であって、それによって、前記ファイバ・セクション（７２、７４）と前記変換器（１０２、１０４）の間の光接続が、前記ファイバ・セクション（７２、７４）の前記後方光接触表面（８４）を介して確立される、工程と、
前記コネクタ（１）に前記変換器（１０２、１０４）を付け加える工程とを含む方法。
【請求項２５】
前記ファイバ受け入れスリーブ（３２、３３）であって、
それぞれが、前記光ファイバ・セクション（７２、７４）の前記前方光接触表面（８２）の領域中に前方停止部表面（３８）を含み
取り付けダイが、圧入中、前記関連したファイバ・セクション（７２、７４）のための前方停止部を形成するために、前記前方停止部表面（３８）のそれぞれに対し押し付けられていることを特徴とする、請求項２４に記載の方法。
【発明の詳細な説明】
【技術分野】
【０００１】
本発明は、一般にプラスチック・ファイバを接続するための光コネクタに関し、詳しくは、たとえばＭＯＳＴ（商標登録）規格による車両中のマルチメディアの接続の確立に関する。
【背景技術】
【０００２】
車両関連の情報技術の分野における応用が、ますます複雑化しているので、それは、今日「マルチメディア」と呼ぶことができ、様々な装置をネットワーク化するための新概念が求められている。
【０００３】
たとえば、少なくともカー・ラジオ、携帯電話およびナビゲーション・システムは、双方向で互いに通信することが可能であるべきで、したがって、たとえば、車載ラジオは、音を小さくすることができ、携帯電話は、ユーザが電話をしたいとき、ラジオのスピーカを介して操作することができる。しかし、これは、極めて簡単な応用のみであり、ユーザの要求を満たすために、搭載エレクトロニクスのマルチメディア・ネットワーク化は、ほとんどどのようにも限定されないことが、明らかである。
【０００４】
これらの複雑な要求事項を満たすために、光データ転送が、自動車領域でのこれらの接続のための標準になっている。したがって、ＭＯＳＴ（商標登録）と呼ばれる新規格が、開発された。ＭＯＳＴ（商標登録）規格の仕様が、とりわけ次のように公表されている。
「ＭＡＭＡＣ仕様書」レビジョン１．０、１１／２００２、バージョン１．０−００
ｈｔｔｐ：／／ｗｗｗ．ｍｏｓｔｎｅｔ．ｄｅ／ｄｏｗｎｌｏａｄｓ／Ｓｐｅｃｉｆｉｃａｔｉｏｎｓ／ＭＡＭＡＣＳｐｅｃｉｆｉｃａｔｉｏｎ＿１Ｖ０−００．ｐｄｆ、および
ｈｔｔｐ：／／ｗｗｗ．ｍｏｓｔｎｅｔ．ｄｅ／ｄｏｗｎｌｏａｄｓ／Ｓｐｅｃｉｆｉｃａｔｉｏｎｓ／ＭＯＳＴ％２０Ｐｈｙｓｉｃａｌ％２０Ｌａｙｅｒ％２０Ｓｐｅｃｉｆｉｃａｔｉｏｎ／０１０２２３ＷｇＰｈｙＤｒａｗｉｎｇｓ．ｚｉｐ
ＭＯＳＴ（商標登録）規格の基本的仕様は、これによって引用され、その内容全体が参照によって本開示に組み込まれる。
【０００５】
コンパクトなタイプの光ＭＯＳＴ（商標登録）コネクタは、電気光変換器を含み、それは、コネクタの背後に接続される。これらのコネクタは、短いウェーブ・ガイド・セクションを含み、それは、通常接着されて組み込まれる。
【０００６】
多くの点で、これらのコネクタは、欠点がある。というのは、ウェーブ・ガイド・セクションは、極めて小さく、したがって接着剤の塗布が、比較的困難であるからである。これによって、殊に、ウェーブ・ガイドの敏感な光接触表面を汚染する危険があり、それは、全くコネクタを使用できない程度に、コネクタの品質を低下させ得る。
【０００７】
さらに、コネクタ中のウェーブ・ガイド・セクションの縦方向位置決めが、高度な寸法精度でもって行われなければならず、そのことによって、接着作業を実施することが困難である。
【０００８】
さらに、接着剤の塗布は、複雑な機械が必要であり、接着剤の硬化がむしろ長い時間を要し、コネクタをむしろ高価にし、大量生産を困難にしている。
【０００９】
コネクタは、やはり知られており、ウェーブ・ガイド・セクションが固定されている。これによって、固定チップが、通常、ウェーブ・ガイド・セクションの光接触表面に直接配置される。
【００１０】
ここで、この種類の固定は、ウェーブ・ガイド・セクションの光接触表面内に突出部が生成され、それは、いくつかの点で不利になり得ることが、明らかになっている。
【００１１】
第１に、ウェーブ・ガイドの光接触表面がひどく歪められて、それらの転送性能がマイナス方向に影響されているというリスクがある。それによって、殊に望ましくない反射が、光接触表面において生成され得る。
【００１２】
さらに、突出部の高さが不確定であり、それによってコネクタ中でウェーブ・ガイドの正確な縦方向位置付けが、少なくとも困難になる。
【００１３】
さらに、既知の固定チップを用いると、殊にそれらの形状によって、ウェーブ・ガイドを損傷する危険がある。これは、最悪のケースではコネクタを全く使用不可能にすることがある。
【００１４】
既知の解決策は、全体にわたって、多くの改善が必要である。他方、明らかに、些細な品質またはコストの改善が、この競争市場で、決定的な競争力のある利点をもたらすことができる。
【特許文献１】欧州特許第ＥＰ１，１７０，６０９Ａ２号
【非特許文献１】「ＭＡＭＡＣ仕様書」レビジョン１．０、１１／２００２、バージョン１．０−００  ｈｔｔｐ：／／ｗｗｗ．ｍｏｓｔｎｅｔ．ｄｅ／ｄｏｗｎｌｏａｄｓ／Ｓｐｅｃｉｆｉｃａｔｉｏｎｓ／ＭＡＭＡＣＳｐｅｃｉｆｉｃａｔｉｏｎ＿１Ｖ０−００．ｐｄｆ、および  ｈｔｔｐ：／／ｗｗｗ．ｍｏｓｔｎｅｔ．ｄｅ／ｄｏｗｎｌｏａｄｓ／Ｓｐｅｃｉｆｉｃａｔｉｏｎｓ／ＭＯＳＴ％２０Ｐｈｙｓｉｃａｌ％２０Ｌａｙｅｒ％２０Ｓｐｅｃｉｆｉｃａｔｉｏｎ／０１０２２３ＷｇＰｈｙＤｒａｗｉｎｇｓ．ｚｉｐ
【発明の開示】
【発明が解決しようとする課題】
【００１５】
したがって、本発明の目的は、製造するには簡単、迅速で費用効率が高い、光コネクタを提供することである。
【００１６】
本発明の他の目的は、殊に減衰が小さくて反射が少ない、高品質の光接続をもたらす光コネクタを提供することである。
本発明の他の目的は、機械的に正確で耐久性がある光コネクタを提供することである。
【００１７】
本発明のさらに他の目的は、既知のコネクタの欠点を回避し、または少なくとも緩和する光コネクタを提供することである。
本発明の目的は、独立請求項の特徴によって思いのほか簡単な方法で、すでに達成される。有利な実施形態が、従属請求項で定義される。
【課題を解決するための手段】
【００１８】
本発明によれば、殊にプラスチック光ウェーブ・ガイド用、より正確にはプラスチック光ファイバ（ＰＯＦ）用の光コネクタが、ＭＯＳＴ（商標登録）規格による車両中のマルチメディア接続を確立するために提供される。
【００１９】
第１に、コネクタは、相補的嵌合コネクタを受け入れるためのレセプタクルを有した、たとえばプラスチックから製作された、好ましくは誘電性の筐体を含む。
【００２０】
コネクタは、さらに、少なくとも短い光ファイバ・セクションまたはウェーブ・ガイド・セクションを含み、それは、コネクタの光軸を画定し、その終端末端部において前方および後方の光接触表面を含む。本明細書では、サイドが「前方（front）」と指定されると、それは、嵌合構成状態で、嵌合コネクタに面しているということであり、逆もまた同様である。
【００２１】
さらに、コネクタは、少なくとも１つの光ターミナル要素、たとえばターミナル・チューブを含み、それは、実質的に円筒形であり、嵌合コネクタの嵌合光ターミナル要素との嵌合接続用である。さらに、ターミナル・チューブは、少なくとも１つのセクションを含み、それは、ファイバ受け入れスリーブを画定する。ファイバ受け入れスリーブは、コネクタと嵌合コネクタが結合されたとき、その前方光接触表面と嵌合コネクタの光ファイバの間で光接続を確立するために、光ファイバ・セクションを保持する。
【００２２】
好ましいのは、コネクタが、２つの同じ光ターミナルを有した、少なくとも光二重コネクタであることである。さらに、光コネクタは、それをいわゆるハイブリッド・コネクタにする、追加の電気ターミナルを含むこともできる。
【００２３】
さらに、光ファイバ・セクションは、殊にフェルールがない場合、ファイバ・チャネル中に直接圧入され、ファイバ受け入れスリーブ中、またはファイバ・チャネル中に、複数の固定要素を使用することによってそれぞれ固定されて恒久的に付け加えられ、したがって追加の接着は必要ない。
【００２４】
本発明は、さらに、光ファイバ・セクションの前方光接触表面の領域においてまたはその中に前方面を有したファイバ受け入れスリーブによって特徴付けられ、固定要素は、ファイバ受け入れスリーブの前方面から光軸に沿って縦方向に隔置される。
【００２５】
殊に、ファイバ受け入れスリーブの前方面が、光ファイバ・セクションの前方光接触表面の近辺に位置決めされる、たとえば０μｍから５０μｍの範囲の縦方向の間隔で位置決めされて、前方停止部表面として設けられ、それは、なかんずく嵌合コネクタの相補的ターミナル要素のための停止部を画定する。言い換えると、ファイバ受け入れスリーブのセクションが、前方光接触領域を囲繞し、ファイバ受け入れスリーブのセクションは、停止部表面の直近に位置決めされる。
【００２６】
好ましいのは、１つまたは複数の固定要素の前方部が、０μｍより大きくて５ｍｍより小さいだけ、殊に好ましくは１００μｍまたは２００μｍから３ｍｍの範囲で、ファイバ受け入れスリーブの前方部の後に配置されることである。
【００２７】
締め付け固定は、接着に勝る利点がある。というのは、それは、より清潔、より簡単、より迅速であるからである。
【００２８】
本発明による固定要素の位置は、一目見ただけでは不利に見えるおそれがある。というのは、前方光接触表面と固定要素の間のファイバ・セクション領域が、固定されていないからである。したがって、これは、誘導が不十分である、またはプラスチック・ファイバの弾性から、上記のようにすると縦方向の位置決めが不十分になるはずであるという、第１印象が生じ得る。
【００２９】
本発明によるコネクタに関する試験によって、これは、そうではなく、以外にもむしろ、その反対が本当であることが、示された。
【００３０】
したがって、通常、コネクタを取り付けるために、ファイバ・セクションが、後方からファイバ受け入れスリーブ中に直接圧入され、それによって取り付けダイがコネクタ中に挿入され、より正確には前方部からコネクタのターミナル中に挿入され、次いで停止部表面に押し付けられる。次いで、取り付けダイ、またはより正確にはその後方に向けられた表面が、やはりファイバ・セクションのための停止部を形成する。
【００３１】
その後、ファイバ・セクションが圧入されたとき、それは、縦方向に押されて、その前方光接触表面が、後方から固定要素を超えてファイバ受け入れスリーブ中に入れられ、取り付けダイの、後方に向けられた表面に押し付けられる。
【００３２】
公平な予想に反して、ファイバ・セクションは、圧入中に、縦方向に極めて正確に位置決めすることさえできる。現状技術とは異なり、光接触表面の形状は、どのような、またはほとんど不確定の突出部も有さず、それは、正確に画定され、したがって圧入中、取り付けダイのためにより正確な停止部を形成する。まだ圧入前のファイバ・セクションの前方光接触表面の予め定められた形状が、固定要素によるファイバ・セクションの圧縮によっては基本的に影響を受けない状態に留まる、たとえばそれは、平面または凹面状に留まる。連結要素の前方にある比較的短くて縦方向には直接取り付けられないセクションは、かなりのマイナス的な影響を及ぼさない。
【００３３】
これとは異なり、ファイバ・セクションの周知の弾性は、ＭＯＳＴ（商標登録）規格によるファイバ受け入れスリーブの停止部表面から正確に定義されたバックオフセットを生成するために、使用することさえできる。
【００３４】
この規格では、停止部表面から０μｍから５０μｍの範囲のファイバ・セクションのバックオフセットが要求されている。この許容差は、本発明によって極めてうまく満たすことができる。
【００３５】
これによってファイバ・セクションが、まず、予め定められた力よって取り付けダイに押し付けられ、力が取り除かれた後、定められたようにわずかな量だけその前方セクション中に跳ね返り、またはそれは、取り付けダイが除去された後、わずかな追加の量だけ前方へ飛び出る。この跳ね返りは、取り付けダイの設計に、および押し込み力の選択に正確に考慮に入れることができる。
【００３６】
本発明によるコネクタは、固定要素が、ファイバ・セクションの前方光接触表面に対しても後方に置かれるので、他の追加の利点を有する。
【００３７】
前方光接触表面の軽微な圧縮のためからも、チップが前方光接触表面に近接して配置されたコネクタに比べて、前方光接触表面における減衰および反射を低減することができる。
コネクタは、全体的に比較的少ない部品から組み立てられ、製造が簡素化される。
【００３８】
本発明の好ましい実施形態によれば、ファイバ受け入れスリーブが、実質的に円筒状のファイバ・チャネルを画定し、光ファイバ・セクションが付け加えられ、連結要素が、ファイバ受け入れスリーブまたはガイド・スリーブの内側周辺部からファイバ・チャネルの内部へ放射状に突き出る。
【００３９】
固定要素、ファイバ受け入れスリーブ、ターミナルおよび／または一体のコネクタ筐体を一体化して形成することは、極めて簡単であり、したがって短いファイバ・セクションがコネクタ筐体中に直接圧入される。
【００４０】
好ましいのは、固定要素が、光ファイバ・セクションの外側周辺部中に型締めされる、より正確にはファイバ・セクションのケース中に、殊に圧縮時、材料が変位して型締めされることである。有利な形で、ファイバ・コアが、これによって害されない。
【００４１】
本発明の好ましい一実施形態によれば、ファイバ受け入れスリーブは、前方および後方のセクション、あるいはガイド・セクションまたは挿入セクションをそれぞれ有し、それらは、互いから縦方向に隔置され、それらは、互いに隣接し、２つのセクションの内側直径は、サイズが異なる。殊に、後方セクションの内側直径は、前方セクションの内側直径より大きい。
【００４２】
一方、これは、ファイバ・セクションが、その前方セクション中、またはその前方光接触表面の領域中に正確に誘導され、したがって接続されるファイバとファイバ・セクションの間の高度な同軸度が達成できるという利点を有する。他方、ファイバ・セクションは、広い範囲にわたって、すなわちガイド・セクションがより密着するようになるまで、容易に挿入することができる。
【００４３】
好ましいのは、前方セクションと後方セクションの間に、チャンバまたは前方部に向かって収斂する中間セクションが存在できることである。これによって、ファイバ・セクションをさらに一層挿入することが、容易になる。
【００４４】
本発明によれば、前方セクションまたはガイド・セクションが、光ファイバ・セクションの外側直径より、４０μｍ小さくて１２０μｍ大きい範囲、殊に好ましくは２０μｍ小さくて６０μｍ大きい範囲にあるように選択すべき内側直径を有することが、明らかになっている。後方挿入セクションの内側直径は、好ましくは、４０μｍから１００μｍ、殊に２０μｍから５０μｍの半径方向隙間がそこに達成できるように、サイズ設定されることである。
【００４５】
これらのサイズによって、誘導精度と挿入の容易さの間で良好なバランスが得られた。
殊に、固定要素は、ファイバ受け入れスリーブの後方挿入セクション中に配置され、前方ガイド・セクションの後方末端部から後方挿入セクション中に縦方向に到達する。固定要素が、この実施形態ではガイド・セクション中に到達しないので、殊に正確な位置合わせを達成することができるはずである。この点で、周辺部にわたって均等に隔置された、少なくとも３つから４つの固定要素を使用することは、有利であると証明されている。
【００４６】
本発明の殊に好ましい実施形態によれば、これらの固定要素は、ラッチ用ノッチまたはラッチ用フックとして形成される。これらのラッチ用ノッチまたはラッチ用フックは、半径方向に、殊に関連した半径面上で実質的に三角形の断面を有する。ファイバ・セクションの挿入方向に、ラッチ用ノッチまたはラッチ用フックは、コネクタ筐体の背後側からファイバ・セクションを圧入するために、内側向きに傾斜した、殊に平坦な傾斜表面を有し、ならびに／あるいは、ファイバ・セクションがラッチ表面を越えて挿入されたとき、ラッチ表面の前で圧縮の働きによってファイバ・セクションを固定するために、半径方向に、またはファイバ・セクションの光軸に実質的に垂直に突き出た正面ラッチ表面を有する。殊に、ラッチ用ノッチのラッチ表面は、ファイバ受け入れスリーブの前方サイドに対して縦方向で後方に設定される。
【００４７】
言い換えると、ラッチ用ノッチは、傾斜状またはのこぎり歯状の形を有し、それらの正面ラッチ表面は、ファイバ受け入れスリーブの正面ガイド・セクションの後方末端部と、好ましくは同じ高さとなることである。この設計は、製造が容易であることが証明されている。
【００４８】
ラッチ用ノッチは、好ましいのは、幅が、ファイバ受け入れチューブの内側周辺部に沿って５０μｍから１ｍｍ、好ましくは１５０μｍから４００μｍであり、高さが、ファイバ・チャネル中に半径方向に突き出して２０μｍから５００μｍ、好ましくは５０μｍから２００μｍであることである。
【００４９】
これによって、および同時に中程度の圧縮によって、ファイバ・セクションの信頼できる恒久的な固定を達成できることが、明らかになっている。
【００５０】
好ましいのは、コネクタが、いわゆるコンパクト・コネクタ、すなわち１つまたは複数の電気光変換器がコネクタに、またはコネクタ筐体に直接取り付けられたコネクタとして、設けられることである。したがって、好ましいのは、コネクタが、少なくとも１つの電気光変換器または光入出力を有したトランシーバ（ＦＯＴ）を含むことであり、変換器は、ファイバ・セクションの後方光接触表面を経由して、ファイバ・セクションと変換器の間の光接続が確立されるように、ファイバ・チャネルの後方末端部に位置付けられる。これによって、ここで、変換器は、前方光接触表面を介して光学的に接触することができる。
【００５１】
光変換器は、たとえば、ブラケットを使用して、コネクタ筐体の後方サイドに直接接続される。好ましいのは、ブラケットが、金属から打ち抜かれて形成され、より正確には基本的にＵ字状であって、コネクタ筐体の側面表面上にラッチ係合されることである。さらに、ブラケットは、はんだピンによってプリント回路基板に接続することもできる。
【００５２】
さらに、好ましいのは、ブラケットが、取り付けられた場合、ファイバ・セクションの後方光接触表面の方向に前方へ変換器を押し付ける、少なくとも１つの弾性スプリング・セクション有することである。
【００５３】
好ましいのは、ブラケットが、さらに、後方上側縁部に沿って後方壁および上側カバー・セクションと統合的に一体で接続されることである。殊に、上側カバー・セクションは、上部からコネクタ筐体に当接し、しっかりと支持される。スプリング弾性セクションは、さらに、上側カバー・セクションに取り付けられ、スプリング弾性セクションは、実質的にＬ字状の断面を有する。変換器のこの接続が、他のコネクタについて使用することができることにも、本文で留意すべきである。
【発明を実施するための最良の形態】
【００５４】
本明細書では以降、本発明が、実施形態について図面を参照し、より詳細に述べられる。図面では、同じおよび同様の要素は、同じ参照記号で部分的に表される。
【００５５】
図１に、プラスチック・コネクタ筐体（２）を有し、その前方部（４）上に開口部（６）を有したコネクタ（１）を示す。開口部（６）によって、コネクタ筐体（２）中の空洞部（８）へアクセスし、これによって嵌合コネクタ（図示せず）と嵌合接続するためのレセプタクル（１０）が生成される。
【００５６】
空洞部（８）中に、２つの光ターミナル要素（１２、１４）が配置され、それらは、円筒状ターミナル・スリーブの形を有し、それらは、一体でコネクタ筐体（２）と統合的に形成される。
【００５７】
コネクタ筐体（２）は、一体で前面サイド（４）、後面サイド（１６）、２つのサイド・ピース（１８、２０）、底部（２２）およびカバー（２４）から統合的に形成される。
【００５８】
図２を参照すると、コネクタ筐体（２）を貫通した断面図で、空洞部（８）が、コネクタ筐体（２）の前面サイド（４）から後面サイド（１６）に到達していることが、示してある。後面サイド（１６）から、２つのターミナル・スリーブ（１２、１４）が空洞部（８）中に突き出る。
【００５９】
接続するために、嵌合コネクタのセクションが、開口部を通って空洞部（８）中に挿入される。
【００６０】
２つのターミナル・スリーブ（１２、１４）は、実質的に同じに形成されており、この後は、２つのターミナル・スリーブの代わりに、図２の右側に示したターミナル・スリーブ（１２）だけが、参照されることになる。
【００６１】
ターミナル・スリーブ（１２）は、中空円筒状の前方接続セクション（２６）と、ファイバ受け入れスリーブまたはガイド・スリーブ（３２）とを有し、接続セクション（２６）は、ガイド・スリーブ（３２）とともに一体でコネクタ筐体（２）と統合的に形成される。さらに、ガイド・スリーブ（３２）は、空洞部（８）中に突き出た、前方の実質的に中空である円筒状領域（２８）を有する。その中心に、ガイド・スリーブ（３２）が、同軸の、実質的に中空である円筒状空洞を画定し、それは、ファイバ・チャネル（３４）を画定する。
【００６２】
図（３）を参照すると、ターミナル・スリーブ（１２）が、詳細に示してあり、その図から、ターミナル・セクション（２６）が、嵌合ターミナル要素（図示せず）を受け入れるために、円筒状空洞部（３５）を有しており、その嵌合ターミナル要素は、空洞部（３５）中に挿入することができることを理解できる。空洞部（３５）は、ターミナル・スリーブ（１２）の前面サイド（３６）から後方停止部表面（３８）まで延在し、それは、嵌合コネクタのための停止部として働く。
【００６３】
ガイド・スリーブ（３２）は、その後部でターミナル・セクション（２６）または空洞部（３５）とそれぞれ直接隣接し、それによって、後方停止部表面（３８）に直接当接し、ガイド・セクション（４２）と、挿入セクション（４４）と、その間にある面取りされた面または収斂セクション（４６）とを含む。
【００６４】
さらに、ガイド・スリーブ（３２）は、その後方サイド（４８）で開口しており、したがって後ろから挿入方向Ｒに、短いウェーブ・ガイド・セクションまたはファイバ・セクションを挿入することができる。
【００６５】
さらに、図３に、ラッチ用ノッチ（５２ｂ）として具体化される第１の固定要素が、上面図で示してあり、第２のラッチ用ノッチ（５２ｃ）が、光軸（５４）を基準にして半径方向断面図で示してある。回転方向に対称的に配置された４つのラッチ用ノッチ（５２ａ〜５２ｄ）の他の２つのラッチ用ノッチ（５２ａ、５２ｄ）は、図３では見ることができない。
【００６６】
図４を参照すると、ガイド・スリーブ（３２）の後方サイド（４８）からファイバ・チャネル（３４）内の後方透視図が示してある。この図では、ラッチ用ノッチ（５２ａ）および（５２ｂ）の傾斜形状がもっともよく分かる。
【００６７】
ラッチ用ノッチ（５２ａ〜５２ｄ）が、ファイバ・チャネル（３４）の内部中に、ガイド・スリーブ（３２）の挿入末端部（４８）の反対側の末端部（３９）に接近して突き出ている。
【００６８】
ラッチ用ノッチ（５２ａ〜５２ｄ）をすべて代表して、ラッチ用ノッチ（５２ａ）は、挿入方向Ｒで内側に傾いた平面摺動表面（５６ａ）を有し、それは、ガイド・スリーブ（３２）の内側周辺部（６０）を有した湾曲した接続ライン（５８ａ）と前方直線接続縁部（６２ａ）の間に延在する。ラッチ用ノッチ（５２ａ）は、さらに、２つの三角形の側面表面（６４ａ、６６ａ）によって制限される。
【００６９】
図（５）を参照すると、その前方サイド（３６）を有したターミナル・セクション（２６）および後方停止部（３８）を見ることができる。
【００７０】
さらに、挿入セクション（４４）の内側周辺部（６０）から接続縁部（６２ａ）へ垂直に突き出た、ラッチ用ノッチ（５２ａ）の前方停止部表面（６８ａ）を見ることができる。
【００７１】
図６を参照すると、コネクタ筐体（２）中に直接圧入された、すなわちこれは、後部からターミナル・スリーブ（３２、３３）中に、ということを意味し、これは、電気光変換器のサイドからを意味する、２つのファイバ・セクション（７２、７４）を有したコネクタ（１）が、見られる。
【００７２】
図７を参照し、接続要素（１２、１４）両方に対し、ガイド・スリーブ（３２）中へファイバ・セクション（７２）を挿入することについて、これ以降述べる。
【００７３】
ファイバ・セクション（７２）は、光伝導性プラスチック・コア（７６）および外皮（７８）から構成される。ファイバ・セクション（７２）は、さらに、前方および後方に光接触表面（８２、８４）を有する。
【００７４】
ファイバ・セクション（７２）は、ファイバ・チャネル（３４）中にほとんど完全に挿入され、ラッチ用ノッチ（５２ａ〜５２ｄ）によってファイバ・チャネル（３４）中に付け加えられる。これによって、ラッチ用ノッチ（５２ａ〜５２ｄ）は、圧縮される形で主に外皮（７８）中のみに到達し、前方ラッチ用ノッチ（６８ａ〜６８ｄ）が、殊に後方へ変位しないようにファイバ・セクション（７２）を固定する。したがって、ラッチ用ノッチ（５２ａ〜５２ｄ）によってファイバ・セクション（７２）が、永久的な信頼できる形で、ファイバ・チャネル（３４）に付け加えられる。
【００７５】
さらに図７で、ＭＯＳＴ仕様書に準拠するために、前方光接触表面（８２）が、後方停止部（３８）に対して後方に移動されることが、分かる。この例では、バックオフセットは、３０μｍである。
【００７６】
さらに、ラッチ用ノッチまたはラッチ用フック（５２ａ〜５２ｄ）は、停止部表面（３８）に対してオフセットされ、それは、ファイバ受け入れスリーブ（３２）の前方サイド（３９）と一致し、それらは、光接触表面（８２）に対してオフセットされる。ファイバ受け入れスリーブ（３２）の前方領域（３９）からのオフセットは、１ｍｍである。
【００７７】
さらに、ガイド・セクション（４２）の内側直径（８６）は、ファイバ・セクション（７２）の外側直径と同じであり、それによって正確な位置合わせが達成される。逆に、挿入セクション（４４）の内側直径（８８）は、ファイバ・セクション（７２）の外側直径よりわずかに大きく、したがって約６０μｍの隙間（９０）が、ファイバ・セクション（７２）の後方領域中に得られる。
【００７８】
図８を参照すると、後方カバーおよび支持セクション（９２）を有し、２つの横方向ラッチ用突起部（９４、９６）を有したコネクタ筐体２が、後方および下から斜めに示してある。
【００７９】
図９に、関連したファイバ・セクションと光接続を確立するために、後部中に搭載され、関連したガイド・スリーブ（３２、３３）に取り付けられた２つの電気光変換器（１０２、１０４）を有したコネクタ筐体（２）を示す。電気光変換器（１０２、１０４）は、それらの上側サイドで支持壁（９２）の底部（１０６）に当接する。
【００８０】
次いで、変換器（１０２、１０４）を固定するために、実質的にＵ字状のテンション・ブラケット（１０８）が、後方からコネクタ筐体（２）上に押し付けられる。テンション・ブラケット（１０８）は、複数の一体化されたはんだピン（１１０）を含む。
図１０を参照すると、ブラケット（１０８）が、取り付けられた位置で示してある。
【００８１】
この取り付け状態で、変換器（１０２、１０４）は、ブラケット（１０８）の上側サイド上に取り付けられた弾性スプリング・アーム（１１２、１１４）によって、前方に押し付けられ、それによって予荷重が加えられる。
【００８２】
図１１は、ファイバ・チャネル（３４、３７）中に圧入されたファイバ・セクション（７２、７４）と関連する変換器（１０２、１０４）の間の光接続の説明図である。
【００８３】
上記に述べた実施形態は、本来例示するものであり、本発明は、これらの実施形態に限定されず、本発明は、本発明の範囲を逸脱せずに多くの方法で変更することができることは、当業者に明らかである。
【図面の簡単な説明】
【００８４】
【図１】本発明によるコネクタ正面図である。
【図２】ラインＡ−Ａに沿って取られた図１に示すコネクタの断面図である。
【図３】図２の部分Ｂの拡大図である。
【図４】コネクタの２つのファイバ受け入れスリーブの１つの後方透視図である。
【図５】コネクタのターミナルの正面透視図である。
【図６】ファイバ・セクションが圧入された、図１に示すコネクタのラインＣ−Ｃに沿って取られた断面図である。
【図７】図６から部分Ｄを拡大した図である。
【図８】下から斜めに取られたコネクタの後方透視図である。
【図９】電気光変換器および取り付けブラケットを有した図８に類似の透視図である。
【図１０】ラッチ係合された取り付けブラケットを有した図９と類似の図である。
【図１１】電気光変換器およびラッチ係合された取り付けブラケットを有した図６に類似の断面図である。
【図１】
2007519963.tif 000003
【図２】
2007519963.tif 000004
【図３】
2007519963.tif 000005
【図４】
2007519963.tif 000006
【図５】
2007519963.tif 000007
【図６】
2007519963.tif 000008
【図７】
2007519963.tif 000009
【図８】
2007519963.tif 000010
【図９】
2007519963.tif 000011
【図１０】
2007519963.tif 000012
【図１１】
2007519963.tif 000013
【手続補正書】
【提出日】平成18年10月11日(2006.10.11)
【手続補正１】
【補正対象書類名】特許請求の範囲
【補正対象項目名】全文
【補正方法】変更
【補正の内容】
【特許請求の範囲】
【請求項１】
コネクタ（１）の電気光変換器（１０２、１０４）と相補的嵌合コネクタの少なくとも１つの光ファイバとの間に接続を確立するための、殊に、ＭＯＳＴ規格による車両中のマルチメディア接続を確立するための前記光コネクタ（１）において、
嵌合コネクタと嵌合接続するための嵌合レセプタクル（１０）を有したコネクタ筐体（２）と、
前方および後方の光接触表面（８２、８４）を有した、少なくとも１つの光ファイバ・セクション（７２、７４）と、
前記嵌合コネクタの嵌合ターミナル要素と嵌合接続するための、少なくとも１つのターミナル要素（１２、１４）とを含み、
前記ターミナル要素（１２、１４）が、少なくとも１つのファイバ受け入れスリーブ（３２、３３）を含み、そこでは、前記前方光接触表面（８２）により前記嵌合コネクタの光ファイバと光接続を確立するために、前記光ファイバ・セクション（７２、７４）が配置され、
前記光ファイバ・セクション（７２、７４）が、固定要素（５２ａ〜５２ｄ）によって前記ファイバ受け入れスリーブ（３２、３３）中に付け加えられた光コネクタ（１）であって、
前記固定要素（５２ａ〜５２ｄ）が、前記ファイバ・セクション（７２、７４）の前記前方光接触表面（８２）から縦方向に隔置され、または
前記ファイバ受け入れスリーブ（３２、３３）が、前記光ファイバ・セクション（７２、７４）の前記前方光接触表面（８２）の領域中において、前記嵌合コネクタの前記嵌合ターミナル要素のための停止部表面（３８）を含み、前記固定要素（５２ａ〜５２ｄ）が、前記ファイバ受け入れスリーブ（３２、３３）の前記停止部表面から縦方向に隔置されることを特徴とする、光コネクタ（１）。
【請求項２】
前記ファイバ受け入れスリーブ（３２、３３）が、実質的に円筒状ファイバ・チャネル（３４、３７）を画定し、
前記光ファイバ・セクション（７２、７４）が、その中に付け加えられ、
前記固定要素（５２ａ〜５２ｄ）が、前記ファイバ受け入れスリーブ（３２、３３）の内側周辺部（６０）から半径方向内側へ前記ファイバ・チャネル（３４、３７）中に突き出すことを特徴とする、請求項１に記載のコネクタ（１）。
【請求項３】
前記固定要素（５２ａ〜５２ｄ）が、前記ファイバ受け入れスリーブ（３２、３３）と統合的に一体で形成されることを特徴とする、請求項１乃至２のいずれか１項に記載のコネクタ（１）。
【請求項４】
前記固定要素（５２ａ〜５２ｄ）が、材料を変位し圧縮する形で、前記光ファイバ・セクション（７２、７４）の外側周辺部中に到達することを特徴とする、請求項１乃至３のいずれか１項に記載のコネクタ（１）。
【請求項５】
前記固定要素（５２ａ〜５２ｄ）が、前記ファイバ受け入れスリーブ（３２、３３）の前記停止部表面（３８）に隣接した前方面（６８ａ〜６８ｄ）を含み、
前記固定要素の前記前方面が、前記ファイバ受け入れスリーブ（３２、３３）の前記停止部表面（３８）から後方に向かって縦方向に隔置されることを特徴とする、請求項１乃至４のいずれか１項に記載のコネクタ（１）。
【請求項６】
前記固定要素（５２ａ〜５２ｄ）が、前記ファイバ受け入れスリーブ（３２、３３）の前記停止部表面（３８）に対して、後方に０μｍより大きく５ｍｍより小さいだけオフセットされることを特徴とする、請求項１乃至５のいずれか１項に記載のコネクタ（１）。
【請求項７】
前記ファイバ受け入れスリーブ（３２、３３）が、前方ガイド・セクション（４２）および後方挿入セクション（４４）を有し、
前記挿入セクション（４４）の内側直径（８８）が、前記ガイド・セクション（４２）の内側直径（８６）より大きいことを特徴とする、請求項１乃至６のいずれか１項に記載のコネクタ（１）。
【請求項８】
面取りされた面（４６）が、前記ガイド・セクション（４２）と前記挿入セクション（４４）の間に設けられることを特徴とする、請求項９に記載のコネクタ（１）。
【請求項９】
前記ファイバ受け入れスリーブ（３２、３３）が、前方ガイド・セクション（４２）および後方挿入セクション（４４）を有し、
前記ガイド・セクション（４２）が、前記ファイバ・セクション（７２、７４）のためのガイドを画定し、
その内側直径（８６）が、前記光ファイバ・セクション（７２、７４）の外側直径より４０μｍ小さいから、それより１２０μｍ大きいの範囲にあることを特徴とする、請求項１乃至８のいずれか１項に記載のコネクタ（１）。
【請求項１０】
前記ファイバ受け入れスリーブ（３２、３３）が、前方ガイド・セクション（４２）および後方挿入セクション（４４）を有し、
前記光ファイバ・セクション（７２、７４）が、前記挿入セクション（４４）中に４０μｍから１００μｍの半径方向隙間を有することを特徴とする、請求項１乃至９のいずれか１項に記載のコネクタ（１）。
【請求項１１】
前記ファイバ受け入れスリーブ（３２、３３）が、前方ガイド・セクション（４２）および後方挿入セクション（４４）を有し、
前記固定要素（５２ａ〜５２ｄ）が、前記挿入セクション（４４）中に配置されることを特徴とする、請求項１乃至１０のいずれか１項に記載のコネクタ（１）。
【請求項１２】
前記ファイバ受け入れスリーブ（３２、３３）が、前方ガイド・セクション（４２）および後方挿入セクション（４４）を有し、
固定要素（５２ａ〜５２ｄ）が、前記ガイド・セクション（４２）の後方末端部から前記挿入セクション（４４）中に縦方向に隔置されることを特徴とする、請求項１乃至１１のいずれか１項に記載のコネクタ（１）。
【請求項１３】
少なくとも２つ、３つまたはそれより多い固定要素（５２ａ〜５２ｄ）が、前記ファイバ・チャネル（３４、３７）の内側周辺部（６０）に配置され、前記周辺部（６０）に沿って均等に隔置されることを特徴とする、請求項１乃至１２のいずれか１項に記載のコネクタ（１）。
【請求項１４】
前記固定要素（５２ａ〜５２ｄ）が、ラッチ用ノッチとして設けられることを特徴とする、請求項１乃至１３のいずれか１項に記載のコネクタ（１）。
【請求項１５】
前記ラッチ用ノッチ（５２ａ〜５２ｄ）が、半径方向に実質的に三角形の断面を有することを特徴とする、請求項１４に記載のコネクタ（１）。
【請求項１６】
前記ラッチ用ノッチ（５２ａ〜５２ｄ）が、前記コネクタ筐体（２）の後方から前記ファイバ・セクション（７２、７４）を圧入するために、後方に傾いた傾斜表面（５６ａ〜５６ｄ）を有し、
前記ラッチ用ノッチが、前記ファイバ・セクション（７２、７４）を連結するために、前記ファイバ・セクション（７２、７４）の光軸（５４）に実質的に垂直である前方停止領域（６８ａ〜６８ｄ）を有することを特徴とする、請求項１４または１５に記載のコネクタ（１）。
【請求項１７】
前記ラッチ用ノッチ（５２ａ〜５２ｄ）が、前記ファイバ受け入れスリーブ（３２、３３）の前記内側周辺部に沿って、１５０μｍから４００μｍの幅を有し、半径方向に前記内部に向かって突き出した５０μｍから２００μｍの高さを有することを特徴とする、請求項１乃至１６のいずれか１項に記載のコネクタ（１）。
【請求項１８】
電気光変換器（１０２、１０４）が光入出力を含み、
前記変換器が、前記ファイバ・チャネルの後方末端部に配置され、
前記ファイバ・セクションと前記変換器の間の光接続が、前記ファイバ・セクション（７２、７４）の前記後方光接触表面（８４）を介して形成されることを特徴とする、請求項１乃至１７のいずれか１項に記載のコネクタ（１）。
【請求項１９】
前記電気光変換器（１０２、１０４）が、ブラケット（１０８）によって前記コネクタ筐体（２）の後方に直接取り付けられることを特徴とする、請求項１８に記載のコネクタ（１）。
【請求項２０】
前記ブラケット（１０８）が、金属から打ち抜かれ、実質的にＵ字状であり、前記コネクタ筐体（２）の側面表面（１８、２０）上に連結され、プリント回路基板と接続するためのはんだピン（１１０）を備えることを特徴とする、請求項１９に記載のコネクタ（１）。
【請求項２１】
前記ブラケット（１０８）が、少なくとも１つの弾性スプリング・セクション（１１２、１１４）を有し、組み立て時、前記ファイバ・セクション（７２、７４）の前記後方光接触表面（８４）に向けて前方に前記変換器（１０２、１０４）を押し付けることを特徴とする、請求項１乃至２０のいずれか１項に記載のコネクタ（１）。
【請求項２２】
前記ブラケット（１０８）が、後方上側縁部に沿って統合的に一体で接続された、後方壁および上側カバーを有し、
前記スプリング弾性セクション（１１２、１１４）が、前記上側カバーに取り付けられ、
前記スプリング弾性セクションが、実質的にＬ字状断面を有することを特徴とする、請求項１乃至２１のいずれか１項に記載のコネクタ（１）。
【請求項２３】
コネクタの電気光変換器（１０２、１０４）と嵌合コネクタの少なくとも１つの光ファイバとの間に接続を確立するための前記光コネクタ（１）を製造するための、殊に、請求項１乃至２２のいずれか１項によって、ＭＯＳＴ規格による車両用のマルチメディア・コネクタを製造するための方法において、
前記嵌合コネクタと嵌合接続するための嵌合レセプタクルを有したコネクタ筐体（２）を設ける工程であって、前記コネクタ（１）が、前記嵌合コネクタの嵌合ターミナル要素と嵌合接続するために、少なくとも２つのターミナル要素（１２、１４）を有し、前記ターミナル要素（１２、１４）それぞれが、ファイバ受け入れスリーブ（３２、３３）を有し、それぞれが、複数の内側固定要素（５２ａ〜５２ｄ）を有する、工程と、
それぞれが、前方および後方の光接触表面（８２、８４）を有した、少なくとも２つの光ファイバ・セクション（７２、７４）を設ける工程と、
その後、前記ファイバ・セクション（７２、７４）を前記関連したファイバ受け入れスリーブ（３２、３３）中に直接圧入する工程であって、前記ファイバ・セクション（７２、７４）が、前記ファイバ受け入れスリーブ（３２、３３）中の前記固定要素（５２ａ〜５２ｄ）によって固定され、前記コネクタ（１）が、前記嵌合コネクタと嵌合されたとき、前記光ファイバ・セクション（７２、７４）の前記前方光接触表面（８２）を介して前記嵌合コネクタの光ファイバとの光接続を確立することができる、工程と、
その後、前記関連したファイバ受け入れスリーブ（３２、３３）の後方サイド（４８）に２つの電気光変換器（１０２、１０４）を配置する工程であって、それによって、前記ファイバ・セクション（７２、７４）と前記変換器（１０２、１０４）の間の光接続が、前記ファイバ・セクション（７２、７４）の前記後方光接触表面（８４）を介して確立される、工程と、
前記コネクタ（１）に前記変換器（１０２、１０４）を付け加える工程であって、前記ファイバ・セクション（７２、７４）が、前記関連したファイバ挿入スリーブ（３２、３３）中に挿入され、それらの前方光接触表面（８２）が、前記圧入によって前記固定要素（５２ａ〜５２ｄ）を超えて挿入される、工程とを含む方法。
【請求項２４】
前記ファイバ受け入れスリーブ（３２、３３）であって、
それぞれが、前記光ファイバ・セクション（７２、７４）の前記前方光接触表面（８２）の領域中に前方停止部表面（３８）を含み
取り付けダイが、圧入中、前記関連したファイバ・セクション（７２、７４）のための前方停止部を形成するために、前記前方停止部表面（３８）のそれぞれに対し押し付けられていることを特徴とする、請求項２３に記載の方法。
【手続補正２】
【補正対象書類名】明細書
【補正対象項目名】０００８
【補正方法】変更
【補正の内容】
【０００８】
さらに、接着剤の塗布は、複雑な機械が必要であり、接着剤の硬化がむしろ長い時間を要し、コネクタをむしろ高価にし、大量生産を困難にしている。
接着剤を塗布しないコネクタが、欧州特許第ＥＰ１，１７０，６０９Ａ２号で知られており、それは、スリーブのための中空円筒状ホルダを有したターミナルを含み、そこにウェーブ・ガイドが収納される。中空円筒状ホルダは、スリーブが、光要素モジュール側から中空円筒状ホルダ中に、ウェーブ・ガイドの前方末端部まで挿入され、スリーブが、リブの前方縁部と同一平面上になるまで挿入されたとき、スリーブを固定するために、その内部に、１２０°で隔置された３つの縦方向のリブを有する。コネクタのウェーブ・ガイドの前方末端部と嵌合コネクタのウェーブ・ガイドの前方末端部の間に、必要な場合一定のわずかな隙間を設けるために、嵌合コネクタの嵌合ターミナル専用の停止部表面は、中空円筒状ホルダ中に設けられない。
【手続補正書】
【提出日】平成19年2月9日(2007.2.9)
【手続補正１】
【補正対象書類名】特許請求の範囲
【補正対象項目名】請求項１
【補正方法】変更
【補正の内容】
【請求項１】
コネクタ（１）の電気光変換器（１０２、１０４）と相補的嵌合コネクタの少なくとも１つの光ファイバとの間に接続を確立するための、特に、ＭＯＳＴ規格による車両中のマルチメディア接続を確立するための光コネクタ（１）であって、
嵌合コネクタと嵌合接続するための嵌合レセプタクル（１０）を有したコネクタ筐体（２）と、
前方および後方の光接触表面（８２、８４）を有した、少なくとも１つの光ファイバ・セクション（７２、７４）と、
前記嵌合コネクタの嵌合ターミナル要素と嵌合接続するための、少なくとも１つのターミナル要素（１２、１４）とを備え、
前記ターミナル要素（１２、１４）が、少なくとも１つのファイバ受け入れスリーブ（３２、３３）を含み、そこでは、前記前方光接触表面（８２）により前記嵌合コネクタの光ファイバと光接続を確立するために、前記光ファイバ・セクション（７２、７４）が配置され、
前記光ファイバ・セクション（７２、７４）が、固定要素（５２ａ〜５２ｄ）によって前記ファイバ受け入れスリーブ（３２、３３）中に付け加えられている光コネクタ（１）において、
前記固定要素（５２ａ〜５２ｄ）が、前記ファイバ・セクション（７２、７４）の前記前方光接触表面（８２）から縦方向に隔置され、または
前記ファイバ受け入れスリーブ（３２、３３）が、前記光ファイバ・セクション（７２、７４）の前記前方光接触表面（８２）の領域中において、前記嵌合コネクタの前記嵌合ターミナル要素のための停止部表面（３８）を含み、前記固定要素（５２ａ〜５２ｄ）が、前記ファイバ受け入れスリーブ（３２、３３）の前記停止部表面から縦方向に隔置されることを特徴とする、光コネクタ（１）。
【国際調査報告】
2007519963.tif 000014
2007519963.tif 000015
2007519963.tif 000016
2007519963.tif 000017
2007519963.tif 000018
2007519963.tif 000019